(57)【要約】【課題】  短期間で各種施設に適切な規模の観客席、観覧席を随時に設置できるとともに、容易に撤去できるユニット観覧席を提供する。【解決手段】  階段状に配設された座席４を有するユニット観覧席Ｕであって、土台フレーム１と、土台フレーム１の上に階段状に構成された観覧者支持部２と、観覧者支持部２の各段に配設された座席４と、下側の段の座席４後部に配設された上側段の座席４のためのフットレスト用面材３とを一体化させて有する本体５と、本体５に一体化された階段６とを備えてなるものである。【選択図】  図１
0003112852.tif 000002
【実用新案登録請求の範囲】
【請求項１】
階段状に配設された座席を有するユニット観覧席であって、
土台フレームと、該土台フレームの上に階段状に構成された観覧者支持部と、該観覧者支持部の各段に配設された座席と、下側の段の座席後部に配設された上側段の座席のためのフットレスト用面材とを一体化させて有する本体を備えてなることを特徴とするユニット観覧席。
【請求項２】
本体に一体化させて配設された階段を備えてなることを特徴とする請求項１記載のユニット観覧席。
【請求項３】
本体に一体化させて配設された屋根を備えてなることを特徴とする請求項１または２記載のユニット観覧席。
【請求項４】
屋根に天幕が開閉自在に配設されてなることを特徴とする請求項３記載のユニット観覧席。
【請求項５】
階段の蹴上げが、座席間の段差の半分とされてなることを特徴とする請求項２記載のユニット観覧席。
【考案の詳細な説明】
【技術分野】
【０００１】
本考案は、ユニット観覧席に関する。さらに詳しくは、観客席、ないしは観覧席の一部、または全部が輸送可能なユニットとして構成されたユニット観覧席に関する。
【背景技術】
【０００２】
例えば、野球、サッカー、バレーボールといった人気スポーツでは、会社や町内会のイベントとして行われる場合にも比較的多数の観客が見込まれることがあり、そのような場合には、観客席、観覧席を備えた施設を試合場として選定する必要が生じる。
【０００３】
ところが、そのような施設には数に限りがあり、予想される来場者数に対して適切な規模の施設を見つけることに困難を伴うことも多い。また、そのような施設は、観客席、観覧席を備えていない施設と比較して、一般に、利用料金、使用料金が割高である。
【０００４】
すなわち、観客席、観覧席を有する施設においては、その設置、建設の費用に加えて保守、管理の費用が必要となる。そして、そのような費用は、施設の利用がコンスタントに行われない場合にも必要とされることになり、その無駄による社会的損失は非常に大きいものといえる。
【０００５】
また、各種施設において、新たに観客席、観覧席を設置したり、老朽化した観客席、観覧席を撤去したりする場合には、その設置作業、撤去作業を実施する間、施設の利用が制限されるため、設置、撤去の作業が長期化すればするほどその社会的損失も大きくなるといった別の問題も生じる。
【考案の開示】
【考案が解決しようとする課題】
【０００６】
本考案はかかる従来技術の課題に鑑みなされたものであって、短期間で各種施設に適切な規模の観客席、観覧席を随時に設置できるとともに、容易に撤去できるユニット観覧席を提供することを目的としている。
【課題を解決するための手段】
【０００７】
本考案のユニット観覧席は、階段状に配設された座席を有するユニット観覧席であって、土台フレームと、該土台フレームの上に階段状に構成された観覧者支持部と、該観覧者支持部の各段に配設された座席と、下側の段の座席後部に配設された上側段の座席のためのフットレスト用面材とを一体化させて有する本体を備えてなることを特徴とする。
【０００８】
本考案のユニット観覧席においては、本体に一体化させて配設された階段を備えてなるのが好ましい。
【０００９】
また、本考案のユニット観覧席においては、本体に一体化させて配設された屋根を備えてなるのが好ましい。
【００１０】
さらに、本考案のユニット観覧席においては、屋根に天幕が開閉自在に配設されてなるのが好ましい。
【００１１】
さらに、本考案のユニット観覧席においては、階段の蹴上げが、座席間の段差の半分とされてなるのが好ましい。
【考案の効果】
【００１２】
本考案は、前記の如く構成されているので、球技場やイベント会場において必要とされる観覧席を簡易・迅速に設けることができるとともに、その撤去も簡易・迅速になされるので、観覧席を設けることによる整備および保守費用を不要とできるという優れた効果が得られる。
【考案を実施するための最良の形態】
【００１３】
以下、添付図面を参照しながら本考案を実施形態に基づいて説明するが、本考案はかかる実施形態のみに限定されるものではない。
【００１４】
実施形態１
図１は、本考案の実施形態１に係るユニット観覧席の斜視図であり、図２、図３および図４は、その平面図、正面図および側面図をそれぞれ示す。また、図５に部分詳細図を示す。
【００１５】
ユニット観覧席Ｕは、図１ないし図４に示すように、多段座席式観覧席（図示例では４段）とされており、土台フレーム１と、土台フレーム１の上に所定間隔で立設された所要数の階段状に形成された座席支持フレーム１２，１２，１２，・・・からなる観覧者支持部２と、観覧者支持部２により支持され、下段の座席の背後に設けられた上段の座席のためのフットレスト用面材３と、座席支持フレーム１２，１２，１２，１２，・・・の水平部前側に例えば平行に配設された座席受部材１３，１３を介して取り付けられる例えば長板状とされた座席４とを備えており、これら土台フレーム１、観覧者支持部２、フットレスト用面材３，３，３，・・・および座席４から本体５が構成されている。ここで、フットレスト用面材３は、例えば溶接にて座席支持フレーム１２に取り付けられて観覧者支持部２により支持される。なお、フットレスト用面材３は通路としても利用される。
【００１６】
土台フレーム１は、図５に示すように、本体５および後述する階段６の平面投射形状を枠取りするように  角形鋼管１１が組まれてなる枠部１ａと、座席支持フレーム１２の配設位置と対応させて枠部１ａの内面に両端が接合された状態で互いに平行に配設された、例えば角形鋼管からなる座席支持フレーム設置部１ｂとを有する。
【００１７】
そして、図１に示すように、本体５の長手方向の両側方には、各段の座席４，４間を移動するための階段６が本体５と一体的に設けられている。また、階段６の側方縁および本体５の後方縁に沿って、丸パイプ部材からなる手摺７が立設されている。この手摺７には適宜間隔でスタンションが設けられている。なお、階段６は片側のみとすることもできる。
【００１８】
階段６は、本体５と共通の土台フレーム１の上に立設された階段状に形成された階段支持フレーム２２および隣接する座席支持フレーム１２からなる階段踏板支持部２１と、階段踏板支持部２１により支持された踏板用面材２３および蹴止め面材２４とから構成され、その蹴上げは、座席４，４の段差に一致させられている。ここで、本体５のフットレスト用面材３および階段６の踏板用面材２３および蹴止め面材２４は、例えばエキスパンドメタル（網目状に形成された金属板材）から形成されている。その場合、踏板用面材２３と蹴止め面材２４との角部は、安全上および補強上の観点から、例えばアングルによりカバーされてもよい。
【００１９】
また、観覧者支持部２および階段踏板支持部２１の適宜位置には、補強用として丸パイプ部材からなる筋かい８および横桟９が取り付けられている。これによって、使用時の強度向上を図ることができるとともに、後述するような手順によりユニット観覧席Ｕの設置および撤去を行う際の変形を防止することができる。
【００２０】
次に、かかる構成とされたユニット観覧席Ｕの設置方法および撤去方法について説明する。
【００２１】
ここで、ユニット観覧席Ｕは、全長、奥行き、高さが、トラック等の運送手段による輸送の可能なサイズ（例えば、全長：７．５〜９．０メートル、奥行き：２．５〜３．５メートル、高さ：１．０〜２．５メートル）に設計される。
【００２２】
ユニット観覧席Ｕの設置は、１）収納場所から設置対象施設までユニット観覧席Ｕをトラック等により運搬し、２）例えば観覧者支持部２にワイヤーロープ３１を掛け渡し、図示しないクレーン等によりトラック荷台等から吊り上げ、３）同クレーン等によりユニット観覧席Ｕを設置位置上方まで移動し、４）同クレーン等によりユニット観覧席Ｕの姿勢および位置を調整しながら吊り降す。
【００２３】
これにより、ユニット観覧席Ｕの設置が完了する。この場合、ユニット観覧席Ｕの水平を出すため、あらかじめコンクリートブロック等により土台を設けておき、その土台にユニット観覧席Ｕを設置するようにしてもよい。
【００２４】
なお、一個のユニット観覧席Ｕでは所要数の座席が確保されない場合には、前記１〜４の手順を所定回繰り返して所要数のユニット観覧席Ｕを設置して所要数の座席を確保する。
【００２５】
一方、ユニット観覧席Ｕの撤去は、１）例えば観覧者支持部２にワイヤーロープ３１を掛け渡し、図示しないクレーン等によりユニット観覧席Ｕを吊り上げ、２）同クレーン等によりユニット観覧席Ｕをトラック荷台等の上方まで移動し、３）同クレーン等によりユニット観覧席Ｕの姿勢および位置を調整しながらトラック荷台等に吊り降ろす。
【００２６】
これにより、ユニット観覧席Ｕの撤去が完了する。
【００２７】
このように、実施形態１のユニット観覧席Ｕにおいては、多段式観覧席として機能させるために必要な構成要素が一括して運搬可能な態様（部材間の接合状態、サイズ等）でユニット化されているので、各種施設において随時に最適な規模の観覧席を短期間で形成することが可能となる。また、イベント等の終了後に迅速な撤去がなし得るので、原状回復も容易である。
【００２８】
実施形態２
以下、図６ないし図８を参照して、本考案の実施形態２に係るユニット観覧席Ｕ１を説明する。実施形態２は、実施形態１を改変してなるものであり、実施形態１のユニット観覧席Ｕに屋根４０を付加してなるものとされる。なお、実施形態２のその余の構成は実施形態１と同様とされているので、実施形態１の符合を流用して説明する。
【００２９】
屋根４０は、土台フレーム１の長手方向両端の後方側に立設される丸パイプ部材からなる支柱４１，４１と、各支柱４１の上端部からユニット観覧席の前方斜め上方に延びるようにして設けられる側方梁４２と、各側方梁４２の先端に両端を接合させるようにして設けられた前方梁４３と、各支柱４１の上端部に両端を接合させるようにして設けられたトラス梁４４と、ユニット観覧席Ｕ１の本体５の上方を覆うように側方梁４２に取り付けられる開閉自在とされた天幕４５と、天幕４５の支承強さを補強するよう支柱４１と側方梁４２との間に設けられるブレース４６とを有している。
【００３０】
天幕４５は、弛みの発生を抑えるように、ユニット観覧席Ｕ１の長手方向と平行に両側方梁４２の間で張り渡された所定数のワイヤ５１により吊支されるとともに、図示しない環状ロープの操作によりワイヤ５１に沿ってカーテン式に開閉されるよう構成され、それにより開閉自在とされている。この構成によって、ユニット観覧席Ｕ１の設置時における運搬の際や、設置後における強風時に天幕４５が損傷するのを防止することができる。
【００３１】
なお、図６は、２つのユニット観覧席を横に並べて設置した状態を示しており、同図に示すように、ユニット観覧席を複数個並べて設置する場合には、階段６を有するユニット観覧席と階段６を有しないユニット観覧席とを組み合わせて用いることが可能である。
【００３２】
実施形態３
以下、図９を参照して、本考案の実施形態３に係るユニット観覧席Ｕ２を説明する。実施形態３は、実施形態２を改変してなるものであり、実施形態２のユニット観覧席Ｕ１の階段６の蹴上げｈを半分にしてなるものとされる。なお、実施形態３のその余の構成は実施形態２と同様であるので、実施形態２の符合を流用して説明する。
【００３３】
図９に示すように、実施形態３のユニット観覧席Ｕ２においては、階段６の蹴上げｈは実施形態１および実施形態２におけるス蹴上げの半分２に設定されている。この構成によって、階段６の昇降が容易となり、お年寄りや子供が各段の座席を移動する際の困難さを軽減することができる。
【産業上の利用可能性】
【００３４】
本考案によれば、観覧席として機能させるのに必要な構成要素が一括して運搬可能なユニットとして構成されるので、観覧席の設置および撤去が極めて簡易になし得る。したがって、必要に応じて随時に各種施設に観覧席を設けることが可能となる。
【図面の簡単な説明】
【００３５】
【図１】本考案の実施形態１に係るユニット観覧席の概要を示す斜視図である。
【図２】同ユニット観覧席の平面図である。
【図３】同ユニット観覧席の正面図である。
【図４】同ユニット観覧席の側面図である。
【図５】同ユニット観覧席の土台の詳細を示す平面図である。
【図６】実施形態２のユニット観覧席の正面図である。
【図７】同ユニット観覧席の側面図である。
【図８】同ユニット観覧席の屋根の詳細を示す平面図である。
【図９】実施形態３のユニット観覧席の側面図である。
【符号の説明】
【００３６】
１      土台フレーム
２      観覧者支持部
３      フットレスト用面材
４      座席
５      本体
６      階段
７      手摺
１１      角形鋼管
１２      座席支持フレーム
３１      ワイヤーロープ
４０      屋根
４６      天幕
Ｕ      ユニット観覧席
【図１】
0003112852.tif 000003
【図２】
0003112852.tif 000004
【図３】
0003112852.tif 000005
【図４】
0003112852.tif 000006
【図５】
0003112852.tif 000007
【図６】
0003112852.tif 000008
【図７】
0003112852.tif 000009
【図８】
0003112852.tif 000010
【図９】
0003112852.tif 000011